(57)【特許請求の範囲】
【請求項１】
歩行者が希望する行き先や経路に関する情報が記録された、歩行者が携帯する無線カードと、
前記無線カードと無線通信する、前記経路に沿って配設された複数の通信手段と、
歩行者に前記経路を案内表示する、前記通信手段に並設された複数の表示手段と、
歩行者に表示する複数の案内情報を保持しており、前記複数の通信手段のうち前記無線カードと通信している通信手段の位置に基づいて歩行者の現在位置を判別し、この現在位置と前記無線カードに記録されている情報に応じて歩行者に表示する案内情報を保持している複数の案内情報から選択し、前記複数の表示手段のうち現在位置の近傍にある表示手段に選択した案内情報を供給し表示させる制御手段と、
を備え、
前記案内情報には、案内された経路に沿って歩行者が進んだときに目にする風景画像が含まれており、
前記制御手段は、前記風景画像を含む案内情報を、前記現在位置の近傍にある表示手段に表示させることを特徴とする歩行者経路案内表示システム。
【請求項２】
前記無線カードは、
歩行者の行き先や経路に関する情報を記録する行き先属性記録部と、
歩行者の性別や年齢、使用言語、利用種別に関する情報を記録する歩行者属性記録部と、を有していることを特徴とする請求項１に記載した歩行者経路案内表示システム。
【請求項３】
前記無線カードの行き先属性記録部および歩行者属性記録部に新しい情報を記録するとともに記録されている情報を変更する、歩行者の経路に沿って配設された記録情報操作手段をさらに備えることを特徴とする請求項１に記載した歩行者経路案内表示システム。
【請求項４】
前記制御手段は、前記無線カードの歩行者属性記録部に記録されている情報と歩行者の現在位置とに基づいて、歩行者が利用する昇降機器の運転を制御する昇降機器運転制御部を有していることを特徴とする請求項１に記載した歩行者経路案内表示システム。
【請求項５】
前記表示手段は、昇降機器の表面に配設されている有機エレクトロルミネセンスディスプレイであることを特徴とする請求項１記載した歩行者経路案内表示システム。
【発明の詳細な説明】
【技術分野】
【０００１】
本発明は、歩行者が希望する行き先への経路を歩行者に案内表示するシステムに関する。
【背景技術】
【０００２】
従来、例えば自宅を出発して鉄道等の交通手段を利用し目的地に向かう歩行者に対し、次に進むべき経路を案内表示するための様々な技術が開発され提案されている。
【０００３】
そのうち、下記特許文献１に記載されている歩行者経路案内システムにおいては、図４に示したように、歩行者が携帯する端末機１にディスプレイ２やスピーカ３が設けられており、かつ歩行者の両肩に取り付けられたアンテナ４によってＧＰＳ衛星５からの電波を受信して歩行者の現在位置を把握するようになっている。
そして、携帯端末機１に内蔵されたデータ格納部６に格納されている地図データと現在位置とを照らし合わせ、目的地に向かう経路をディスプレイ２に表示して歩行者を案内するようになっている。
【０００４】
【特許文献１】特開２００３−１４８９９４号公報
【発明の開示】
【発明が解決しようとする課題】
【０００５】
しかしながら、上述した従来技術の携帯端末機１は、ＧＰＳ衛星５からの電波を受信して現在位置を判別するとともに、格納している地図データ７に基づいて経路を案内表示するものであるため、その構造が複雑で高価であり、容易に利用できるものではない。
また、歩行者がその入力部８を操作して目的地等を入力する構造であるため、機械操作に不慣れな歩行者や高齢者にとってはその操作が容易ではない。
【０００６】
そこで本発明の目的は、上述した従来技術が有する問題点を解消し、歩行者が携行する機器が簡単、低コストであり、かつ容易に操作できるように改良された歩行者経路案内表示システムを提供することにある。
【課題を解決するための手段】
【０００７】
上記の課題を解決するための請求項１に記載した手段は、
歩行者が希望する行き先や経路に関する情報が記録された、歩行者が携帯する無線カードと、
前記無線カードと無線通信する、前記経路に沿って配設された複数の通信手段と、
歩行者に前記経路を案内表示する、前記通信手段に並設された複数の表示手段と、
歩行者に表示する複数の案内情報を保持しており、前記複数の通信手段のうち前記無線カードと通信している通信手段の位置に基づいて歩行者の現在位置を判別し、この現在位置と前記無線カードに記録されている情報に応じて歩行者に表示する案内情報を保持している複数の案内情報から選択し、前記複数の表示手段のうち現在位置の近傍にある表示手段に選択した案内情報を供給し表示させる制御手段と、
を備え、
前記案内情報には、案内された経路に沿って歩行者が進んだときに目にする風景画像が含まれており、
前記制御手段は、前記風景画像を含む案内情報を、前記現在位置の近傍にある表示手段に表示させることを特徴とする歩行者経路案内表示システムである。
【０００８】
すなわち、本発明の歩行者経路案内表示システムにおいては、歩行者は無線カードを携帯するだけで良く、歩行者の現在位置の判別、歩行者に案内表示する情報の保持および選択、歩行者に経路を案内表示する設備、さらには歩行者が携行している無線カードへの情報の記録や記録されている情報の修正に必要な設備は、いずれも交通機関の駅や公共施設、行き先である建物の側に設置される。
これにより、歩行者が携行する無線カードは、極めて簡単な構造で安価なものとすることができる。
また、無線カードへの情報の記録や記録されている情報を変更する操作も、交通機関の駅等に設置されている大型で見やすく操作がし易い専用の機器を用いて行うから、歩行者が容易に操作できる。
なお、無線カードは、例えば鉄道利用者の定期券に用いられているカードや、一部のクレジットカードの様に、相手側から無線で供給される電力によって作動するＩＣチップを内蔵しており、相手側機器に接触させあるいは接近させる非接触の操作によってこのＩＣチップに書き込まれている情報を読み取ることができる型式のものとすることができる。
【０００９】
また、無線カードには、歩行者が希望する行き先や経路に関する情報を記録する行き先属性記録部と、歩行者の性別や年齢、使用する言語、利用種別等に関する情報を記録する歩行者属性記録部とを設けることができる。
これにより、例えば歩行者が観光客等の外国人である場合には、その歩行者が用いる言語である英語や仏語等での案内表示を行うことが可能となる。
【００１０】
また、無線カードの行き先属性記録部および歩行者属性記録部に新しい情報を記録するとともに、記録されている情報を変更するための記録情報操作手段を、交通機関の駅や公共施設、デパート等の歩行者の経路に沿わせて配置することができる。
この記録情報操作手段は、例えばタッチパネルとすることにより、無線カードに記録されている行き先等の入力や修正を大きな画面で容易に行うことができる。
また、交通機関の駅に設置するタッチパネルは、利用する交通機関に関する情報やその駅の周囲にある施設や建物等の情報等を表示できるようにし、行き先の記録や修正をより一層容易に行えるようにすることができる。
さらに、例えばデパート等の入口に設置するタッチパネルには、その建物内の店舗に関する情報等を記録しておけば良いから、個々のタッチパネルに記録しておく情報が少なくて済み、その構造を簡単なものとすることもできる。
【００１１】
また、制御手段は、歩行者が希望する行き先および現在位置と無線カードの歩行者属性記録部に記録されている情報とに基づいて案内表示する経路を選択する案内経路選択部を有することができる。
これにより、その無線カードを携行している歩行者に合わせた経路を選択して案内表示することが可能となるから、例えば高齢者にはエレベータやエスカレータが設けられている経路を選択して案内表示し、若者には階段を利用するが最短距離で目的地に達する経路を案内表示することができる。
【００１２】
また、案内経路選択部は、歩行者の現在位置が選択した経路から外れていると判別したときに正しい位置に戻るための新たな経路を選択するように構成することができる。
これにより、案内表示した経路から外れてしまった歩行者に対しては、その現在位置から行き先への新しい経路を選択して案内表示することが可能となる。
【００１３】
また、制御手段には、無線カードの歩行者属性記録部に記録されている情報と歩行者の現在位置とに基づいて、歩行者が利用する昇降機器の運転を制御する昇降機器運転制御部を設けることができる。
これにより、歩行者属性記録部に記録されている情報利用種別情報として、その無線カードを携帯している歩行者がＶＩＰであることが記録されている場合には、利用するエレベータを予め出発階に着床させて待機させておく等の昇降機器の運転制御が可能となる。
【００１４】
また、歩行者に対して表示手段が表示する案内情報には、案内された経路に沿って歩行者が進んだときに目にする風景画像を加える。
これにより、歩行者は、案内手段の画面に表示された風景画像の記憶と実際に目にする風景画像とを対比させることにより、案内された経路を安心して進むことができる。
【００１５】
また、歩行者に対して表示手段が表示する案内情報には、歩行者の現在位置が属している施設に関する情報を加えることができる。
これにより、例えばデパート等の施設においては、無線カードの歩行者属性記録部に記録されている歩行者の性別や年齢等の情報に合わせて、テナント等の広告情報や特売セール等の情報を表示することができる。
【００１６】
また、表示手段は、昇降機器の表面に配設されている有機エレクトロルミネセンスディスプレイとすることができる。
これにより、例えばエスカレータの手摺りに沿って湾曲して延びている表面にこのディスプレイを所定の間隔で貼設し、あるいはエレベータの乗りかごの内壁面にこのディスプレイを貼設することができるから、歩行者がエスカレータやエレベータに乗っている間に、その次に進むべき経路の情報を連続的に案内表示することが可能となる。
【発明の効果】
【００１７】
本発明によれば、歩行者が携行する機器が簡単で低コストであり、かつ容易に操作できるように改良された歩行者経路案内表示システムを提供することができる。
【発明を実施するための最良の形態】
【００１８】
以下、図１乃至図３を参照し、本発明に係る歩行者経路案内表示システムの一実施形態について詳細に説明する。
【００１９】
図１には、デパートに設置されているエスカレータ１０と、このエスカレータ１０を利用して上方階に向かう歩行者１１が示されている。
この歩行者１１は無線カード１２を携帯しており、エスカレータ１０に乗って上方階に向かうと、エスカレータ１０の手摺り１０ａに沿って所定の間隔を開けて配設されている複数の通信手段１３が無線カード１２と順次通信を行う。
そして、図示されない配線によってこれらの通信手段１３に接続されている案内システムの制御手段２０は、その歩行者属性識別部２１が、無線カード１２の行き先属性記録部１２ａおよび歩行者属性記録部１２ｂ（図２）に記録されている歩行者１１の行き先、性別／年齢等の情報を読み取って識別する。
【００２０】
また、制御手段２０の歩行者位置判別部２２は、無線カード１２と現在無線通信している通信手段１３の位置に基づいて、例えば歩行者１１の現在位置が１階と２階との間にあることを判別する。
そして、制御手段２０の案内経路判別部２３は、歩行者１１の希望する行き先が１０階の飲食店街であり、かつ歩行者１１の現在位置が１階と２階との間であることに基づき、このままエスカレータ１０を乗り継いで１０階に向かわせるという案内経路を判別する。
【００２１】
すると、制御手段２０の案内情報選択部２４は、その案内情報記録部２５に記録されている多数の情報のなかから、歩行者１１に対して案内表示する「このままエスカレータを乗り継いで１０階に向かってください」という案内情報を選択する。
さらに、制御手段２０の表示手段選択部２６は、現在通信している通信手段１３よりも歩行者の進行方向前側に隣接して配置されている表示手段（有機エレクトロルミネセンスディスプレイ）１４を選択する。
そして、制御手段２０の案内情報供給部２７がその表示手段１４に案内情報を送信すると、表示手段１４の表示画面には「このままエスカレータを乗り継いで１０階に向かってください」という案内情報が表示される。
【００２２】
なお、有機エレクトロルミネセンスディスプレイ１４は、エスカレータ１０の手摺り１０ａに沿って湾曲して延びている表面にも貼設できるばかりでなく、その厚みがかなり薄いものであるから、手摺り１０ａに掴まっている歩行者の手に触れることもなく、エスカレータ１０に乗っている間にその次に進むべき経路の情報を確実に案内表示することができる。
また、無線カード１２の歩行者属性記録部１２ｂに、この歩行者１１が外国からの観光客であって英語を話すことが記録されている場合には、表示手段１４の表示画面に英語の案内情報を表示することができる。
【００２３】
このとき、複数の通信手段１３および複数の表示手段１４が、エスカレータ１０の手摺り１０ａに沿って所定の間隔を開けて順に配設されている。
これにより、エスカレータ１０に乗っている歩行者１１には、絶え間なく案内情報が表示されることになり、初めて訪れるデパートであっても不安を感じることなく１０階に向かうことができる。
【００２４】
歩行者１１が１０階に到着すると、そこにはタッチパネル（記録情報操作手段）１５が設置されている。
このタッチパネル１５は、このデパートの１０階にある売り場の配置を示す地図や、１０階に並設されている飲食店街の広告を表示する機能、さらには歩行者１１が携帯している無線カード１２に現在記録されている行き先情報を修正する機能を有している。
そこで、歩行者１１がこのタッチパネル１５の表面に無線カード１２を近づけ、その案内画面に表示された情報から希望するレストランを選択する操作を行うと、無線カード１２の行き先属性記録部１２ａには最終的な行き先としてのレストランが到着地点情報として記録される。
次いで、このタッチパネル１５には、飲食店街に向かって歩行者１１が進むべき経路の案内情報が表示される。
なお、無線カード１２の歩行者属性記録部１２ｂに、この歩行者１１が外国からの観光客であって英語を話すことが記録されている場合には、タッチパネル１５の表示画面に英語による案内情報を表示することができる。
【００２５】
案内表示された経路にしたがって歩行者１１が前進すると、次のタッチパネル１６が設置されている。
このタッチパネル１６は、大型の液晶ディスプレイ１７が並設されている点を除いて、前述したタッチパネル１５と同じものである。
そして、歩行者１１が携行している無線カード１２をこのタッチパネル１６に近づけると、タッチパネル１６の表示画面に目的地のレストランまでの案内地図が表示されると同時に、大型の液晶ディスプレイ１７には、案内された経路に沿って歩行者１１が進んだときに目にする風景の静止画像あるいは動画像１７ａと簡単な文字情報１７ｂが表示される（図３）。
これにより、歩行者１１は、大型の液晶ディスプレイ１７の画面に表示された風景画像の記憶と実際に目にする風景画像とを対比させることにより、案内経路を外れないように進むことができる。
【００２６】
なお、タッチパネル１５，１６は、このデパートの１０階にある売り場や飲食店街に関する情報を表示できるだけで良いから、予め記録しておく情報が少なくて済み、その構造を簡単なものとすることができる。
また、制御手段２０の案内経路判別部２３は、歩行者１１がその無線カード１２を接近させあるいは接触させたタッチパネル１５，１６の位置に基づいて、歩行者１１の現在位置が選択した経路から外れていると判別したときには、行き先であるレストランへの新しい経路を選択してタッチパネル１５，１６の画面に案内表示することもできる。
【００２７】
すなわち、本実施形態の歩行者経路案内表示システムにおいては、歩行者１１は無線カード１２を携帯するだけで良く、歩行者１１の現在位置の判別、歩行者１１に案内表示する情報の保持や選択を行う設備２０、歩行者に経路を案内表示する設備１４、さらには歩行者１１が携行している無線カード１２への情報の記録や記録されている情報の修正に必要な設備１５，１６は、いずれも交通機関の駅や公共施設、行き先である建物の側に設置される。
これにより、歩行者１１が携行する無線カード１２は、極めて簡単な構造で安価なものとすることができる。
また、無線カード１２への情報の記録や記録されている情報を変更する操作も、交通機関の駅等に設置されている大型で見やすく操作がし易い専用の機器１５，１６を用いて行うから、歩行者は容易に操作することができる。
【００２８】
以上、本発明に係る歩行者経路案内表示システムの一実施形態ついて詳しく説明したが、本発明は上述した実施形態によって限定されるものではなく、種々の変更が可能であることは言うまでもない。
【００２９】
例えば、上述した実施形態においては、歩行者１１がデパートの１０階に設けられている飲食店街に向かう場合を例に取って説明した。
これに対して、例えば歩行者が自宅を出発して駅から電車に乗って遠方の美術館に向かう場合には、駅に設置されているタッチパネル１５を利用する。そして、このタッチパネル１５を操作して目的地である美術館や希望する経路を指定すると、歩行者１１が携行する無線カード１２に最終目的地として美術館や、希望する経路等の情報が記録されるとともに、利用すべき電車の乗り継ぎ経路がタッチパネル１５に表示される。
また、途中の乗換駅の各所に設置されているタッチパネル１６に無線カード１２を接触させると、その乗換駅において進むべき経路を案内する地図がタッチパネル１６の画面に表示されると同時に、並設されている大型の液晶ディスプレイ１７には案内された経路に沿って歩行者１１が進んだときに目にする風景の静止画像あるいは動画像が表示される。
これにより、歩行者１１は迷うことなく案内された経路に沿って進んで電車を乗り換えることができる。
【００３０】
なお、以上のような歩行者１１に対する経路の案内表示は、無線カード１２に記録されている情報に基づき、個々の歩行者毎に行われる。
例えば、無線カード１２の歩行者属性記録部１２ｂに、この歩行者１１が高齢者であることが記録されている場合には、エスカレータやエレベータが設けられている駅を経路とする案内表示を行うことができる。
これとは反対に、この歩行者１１が若者であると記録されている場合には、駅の階段を利用することになるが最短距離で目的地に到達できる経路を案内表示することができる。
【００３１】
また、歩行者１１が自宅を出発して電車やタクシーを乗り継ぎ取引先の会社に向かう場合を例に取って説明すると、取引先の会社が入居しているビルの入口に設置されているタッチパネル１５，１６を利用する。
そして、この会社のビルに歩行者１１が到着し、携行している無線カード１２をタッチパネル１５，１６に接触させると、制御手段２０は、その取引先の会社がこのビルの何階に入居しているかや、どのエレベータを利用すれば良いか等の案内情報をタッチパネル１５，１６に表示する。
このとき、歩行者１１が携行している無線カード１２の歩行者属性記録部１２ｂに、この歩行者がその会社に取ってＶＩＰであることが記録されているときには、制御手段２０の昇降機器運転制御部２８がエレベータの運転を制御し、この歩行者１１がエレベータホールに到着する前にエレベータを予め着床させて待機させておくことができる。
【図面の簡単な説明】
【００３２】
【図１】第１実施形態の歩行者経路案内表示システムを模式的に示す図。
【図２】無線カードの構造を模式的に示す図。
【図３】表示手段に示される案内表示の一例を示す図。
【図４】特開２００３−１４８９９４号公報に記載されている携帯端末を示す図。
【符号の説明】
【００３３】
１  従来技術の形態端末機
１０  エスカレータ
１１  歩行者
１２  無線カード
１３  通信手段
１４，１７  ディスプレイ（表示手段）
１５，１６  タッチパネル（記録情報操作手段，表示手段）
２０  制御手段
２１  歩行者属性識別部
２２  歩行者位置判別部
２３  案内経路判別部
２４  案内情報選択部
２５  案内情報記録部
２６  表示手段選択部
２７  案内情報供給部
２８  昇降機器運転制御部
１００  一実施形態の歩行者経路案内表示システム
【図１】
0004732933.tif 000002
【図２】
0004732933.tif 000003
【図３】
0004732933.tif 000004
【図４】
0004732933.tif 000005